(57)【要約】【課題】改修建具の強度を向上するとともに、新設下枠の室内側部を覆う内部カバーと躯体開口部との間に生じる間隙からの延焼を抑制し、防火性能を向上させる。【解決手段】躯体開口部に残存する既設枠に装着される新設下枠と、新設下枠の室内側を覆う内部カバーを備え、内部カバーは、新設下枠の室内側壁部に係合されているとともに、新設下枠の室内側の躯体開口部に固定されており、新設下枠は、室内側壁の室内側面に、加熱により新設下枠と躯体開口部の間の間隙に向かって膨張する加熱膨張材が配置されている。【選択図】  図３
2020002662.tif 000002
【特許請求の範囲】
【請求項１】
躯体開口部に残存する既設下枠に装着される新設下枠と、新設下枠の室内側を覆う内部カバーを備え、
内部カバーは、新設下枠の室内側壁部に係合されているとともに、新設下枠の室内側の躯体開口部に固定されており、
新設下枠は、室内側壁の室内側面に、加熱により新設下枠と躯体開口部の間の間隙に向かって膨張する加熱膨張材が配置されている改修建具。
【発明の詳細な説明】
【技術分野】
【０００１】
本発明は、建物開口部に残存する既設枠の内周に配置される改修建具に関する。
【背景技術】
【０００２】
建物開口部に残存する既設枠の内周に配置される改修建具が公知となっている。
【先行技術文献】
【特許文献】
【０００３】
【特許文献１】特開２００２−２８５７５７号公報
【発明の概要】
【発明が解決しようとする課題】
【０００４】
上記特許文献１に記載された改修建具は、新設した下枠の室内側部を内部額縁によって覆うことで室内側の見栄えを良くしている。
上記特許文献１に記載された建具においては、新設した下枠のレールの位置が既存の下枠の高さ位置よりも高い位置となっているので、新設下枠のレールが突出することを防止する点から、新設した下枠の室内側部分や新設した下枠の室内側部分を覆う内部額縁に高さを持たせる必要がある。
そのため、既設下枠と新設下枠の室内側部分や内部額縁との間に間隙が形成されてしまい、火災時に、該間隙を通って炎や煙が侵入するなどして、延焼が生じる可能性があった。
【０００５】
本発明は、上記の事情を鑑み、改修建具の強度を向上するとともに、改修下枠の室内側部に生じる間隙からの延焼を抑制し、防火性能を向上させることを目的とする。
【課題を解決するための手段】
【０００６】
本発明の一実施形態は、躯体開口部に残存する既設枠に装着される新設下枠と、新設下枠の室内側を覆う内部カバーを備え、内部カバーは、新設下枠の室内側壁部に係合されているとともに、新設下枠の室内側の躯体開口部に固定されており、新設下枠は、室内側壁の室内側面に、加熱により新設下枠と躯体開口部の間の間隙に向かって膨張する加熱膨張材が配置されている改修建具である。
【発明の効果】
【０００７】
本発明の防火建具の構成により、改修建具の強度を向上することができ、防火性能を向上させることができる。
【図面の簡単な説明】
【０００８】
【図１】本発明の一実施形態に係る改修建具の竪断面図である。
【図２】本発明の一実施形態に係る改修建具の横断面図である。
【図３】（ａ）は、本発明の一実施形態に係る改修建具の下枠部分の竪断面図であり、（ｂ）は、その一部拡大図である。
【図４】本発明の他の実施形態に係る改修建具の竪断面図である。
【図５】本発明の他の実施形態に係る改修建具の横断面図である。
【図６】（ａ）は、本発明の他の実施形態に係る改修建具の下枠部分の竪断面図であり、（ｂ）は、その一部拡大図である。
【図７】本発明の実施形態に係る改修建具の上枠と竪枠との連結部分のシールを説明するための斜視図である。
【図８】本発明の実施形態に係る改修建具の下枠と竪枠との連結部分のシールを説明するための斜視図である。
【発明を実施するための形態】
【０００９】
−第１の実施形態―
本発明の第１の実施形態の改修建具として、図１ないし３に示すように、既設の引違い建具の既設枠１の内周に、新設枠２を装着してなる改修建具を用いて説明する。
【００１０】
（全体の構成）
本実施形態の改修建具は、図１、図２に示すように、既設上枠１１，既設下枠１２，既設竪枠１３，１３からなる既設枠１を除去せずに、既設枠１の内周に新設上枠２１，新設下枠２２，新設竪枠２３，２３からなる新設枠２が配置されている。
なお、本実施形態の改修建具は、左右の竪枠部分についてその主たる構成がほとんど同様であるので、竪枠部分についての説明を右竪枠を用いて行う。
【００１１】
既設枠１を構成する既設上枠１１，既設下枠１２，既設竪枠１３のそれぞれには上取付補助材３１、下取付補助材３２及び竪取付補助材３３が固定されており、新設枠２は各取付補助材を介して既設枠１に装着されている。
なお、既設枠１は、その全ての部分が除去されずに残存させた状態で取付補助材及び新設枠を装着しても良いが、例えば図１に示す既設下枠１２の室外側下レールが切除されているように、必要に応じて新設枠２を配置するに際して邪魔となる部位が除去されていてもよい。
【００１２】
（上枠部分の構成）
既設上枠１１に固定される上取付補助材３１は、見込寸法が既設上枠１１の見込寸法とほぼ同程度の寸法を有し新設上枠２１の長手方向に延びる長尺部材からなる。上取付補助材３１は、新設上枠２１を装着する際の基準となる見込壁部３１ａと、見込壁部３１ａの室内外両端付近より外周方向に延設される室内側固定部３１ｂ及び室外側固定部３１ｃを有している。
【００１３】
そして、見込壁部３１ａが水平となるように見込壁部３１ａの外周側面を既設上枠１１の室内側壁部１１ａ、室外側壁部１１ｂの下端に当接させた状態で、室内側固定部３１ｂ及び室外側固定部３１ｃが既設上枠１１の室内側壁部１１ａの室外側と室外側壁部１１ｂの室内側との間に挿入され、室内側固定部３１ｂが室内側壁部１１ａにビス等の固定手段ｂにより固定され、室外側固定部３１ｃが室外側壁部１１ｂにビス等の固定手段ｂにより固定されている。
【００１４】
新設上枠２１は、既設上枠１１よりも見込寸法が大きく形成されており、見込み方向室内側上面に加熱により膨張する加熱膨張材ｆが配置されるとともに、見込み方向の略中央付近において、スペーサー６１を介してビス等の固定手段ｂにより上取付補助材３１の見込壁部３１ａに固定されている。新設上枠２１の室内側下面には、後述する内部カバー７１を取り付けるための挿入部２１ａを有している。
【００１５】
新設上枠２１は、室外側外周に気密材ｓを有しており、上取付補助材３１を介して既設上枠１１に固定された新設上枠２１の気密材ｓが既設上枠１１の室外側内周に当接して、既設上枠１１と新設上枠２１との室外側における気密を行っている。
【００１６】
また、新設上枠２１の室内側から既設上枠１１の室内側を覆うように、防水シート８１が設けられるとともに、防水シート８１を覆うようにアルミニウム合金等の金属製の内部カバー７１が配置されている。
【００１７】
金属製の内部カバー７１は、防水シート８１を覆うカバー部７１ａと、新設上枠２１の挿入部２１ａに挿入される脚部７１ｂと、カバー部７１ａの上端に連続する固定部７１ｃとを有している。
そして、内部カバー７１は、脚部７１ｂが新設上枠２１の挿入部２１ａに上下動自在に挿入された状態で、固定部７１ｃがビス等の固定手段ｂにより躯体開口部に固定されて配置されている。
【００１８】
（下枠部分の構成）
既設下枠１２に固定される下取付補助材３２は、室内側取付補助材３２１と室外側取付補助材３２２の二つの部材からなる。
室内側取付補助材３２１は、アルミニウム合金等の金属材料からなり、新設下枠２２の室内側の荷重を支持する支持部３２１ａと、支持部３２１ａの室内側に連続する取付壁３２１ｂと、を有し、取付壁３２１ｂが既設下枠１２の室内側の壁面にビス等の固定手段ｂにより固定されている。また、室内側取付補助材３２１の支持部３２１ａは、既設下枠１２の室内側下レールに固定された荷重支持部材３２３にスペーサー６２を介して支持されている。
【００１９】
室外側取付補助材３２２は、新設下枠２２の室外側の荷重を支持する支持部３２２ａ及び新設下枠２２の室外側端部の浮き上がりを防止する浮き上がり防止部３２２ｂを有し、支持部３２２ａがスペーサー６３を介して既設下枠１２に載置された状態で既設下枠１２の前壁部にビス等の固定手段ｂにより固定されている。
【００２０】
新設下枠２２は、既設下枠１２よりも見込寸法が大きく形成されており、見込み方向の室内側が室内側取付補助材３２１の支持部３２１ａに支持され、ビス等の固定手段ｂにより室内側取付補助材３２１の支持部３２１ａに固定されている。
また、新設下枠２２は、室外側下端に室内側に屈曲して延びる浮き上がり防止片２２ｇを有しており、新設下枠２２を既設下枠１２に装着した状態で浮き上がり防止片２２ｇが室外側取付補助材３２２の浮き上がり防止部３２２ｂの下方に位置している。そして、必要に応じて、新設下枠２２の室外側が室外側取付補助材３２２の浮き上がり防止部３２２ｂに対して、ビス止め固定されている。
【００２１】
新設下枠２２の室内側から既設下枠１２の室内側を覆うように防水シート８２が設けられており、防水シート８２を覆うようにアルミニウム合金等の金属製の内部カバー７２が配置されている。
【００２２】
（竪枠部分の構成）
既設竪枠１３に固定される竪取付補助材３３は、見込寸法が既設竪枠１３の見込寸法とほぼ同程度の見込寸法を有し新設竪枠２３の長手方向に延びる長尺部材からなる。竪取付補助材３３は、新設竪枠２３を装着する際の基準となる見込壁部３３ａと、見込壁部３３ａの室内外両端付近より外周方向に延設される室内側固定部３３ｂ及び室外側固定部３３ｃを有している。
【００２３】
そして、竪取付補助材３３は、室内側固定部３３ｂ及び室外側固定部３３ｃが既設竪枠１３の室内側壁部１３ａの室外側と室外側壁部１３ｂの室内側との間に挿入されることで、見込壁部３３ａが内周に向く垂直面となるように配置され、室内側固定部３３ｂが室内側壁部１３ａにビス等の固定手段ｂにより固定され、室外側固定部３３ｃが室外側壁部１３ｂにビス等の固定手段ｂにより固定されている。
【００２４】
新設竪枠２３は、既設竪枠１３よりも見込寸法が大きく形成されており、見込み方向室内側外周面に加熱により膨張する加熱膨張材ｆが配置されるとともに、見込み方向の略中央付近において、スペーサー６４を介してビス等の固定手段ｂにより竪取付補助材３３の見込壁部３３ａに固定されている。新設竪枠２３の室内側内周面には、後述する内部カバー７３を取り付けるための挿入部２３ａを有している。
【００２５】
新設竪枠２３は、室外側外周に気密材ｓを有しており、竪取付補助材３３を介して既設竪枠１３に固定された新設竪枠２３の気密材ｓが既設竪枠１３の室外側内周に当接して、既設竪枠１３と新設竪枠２３との室外側における気密を行っている。
また、新設竪枠２３の室内側及び既設竪枠１３の室内側を覆うように防水シート８３が設けられており、防水シート８３を覆うようにアルミニウム合金等の金属製の内部カバー７３が配置され、ビス等の固定手段ｂによって躯体開口部に固定されている。
【００２６】
金属製の内部カバー７３は、防水シート８３を覆うカバー部７３ａと、新設竪枠２３の挿入部２３ａに内周方向から挿入される脚部７３ｂと、カバー部７３ａの外周側端に連続する固定部７３ｃとを有している。そして、内部カバー７３は、脚部７３ｂを新設竪枠２３の挿入部２３ａに左右移動自在に挿入した状態で、固定部７３ｃがビス等の固定手段ｂにより躯体開口部に固定されて配置されている。
【００２７】
ここで、新設枠２および既設枠１の室内側を覆うように配置される防水シートについて、図７，８を参考にして説明する。
図７に示すように、既設上枠１１の室内側壁部１１ａと新設上枠２１の室内側との間には、隙間ｄ１（スペーサー６１が配置されている。）が存在するが、該隙間ｄ１を覆うように、防水シート８１が設けられている。
【００２８】
また、既設竪枠１３の室内側壁部１３ａと新設竪枠２３の室内側との間には、隙間ｄ３（スペーサー６３が配置されている。）が存在するが、該隙間ｄ３を覆うように、防水シート８３が設けられている。
そして、枠の上コーナー部において、上枠に配置された防水シート８１と、竪枠に配置された防水シート８３を連続させるように、防水シート８４及び防水シート８５が設けられている。
【００２９】
一方、図８に示すように、既設下枠１２の室内側壁部１２ａと新設下枠２２の室内側との間には、隙間ｄ２が存在するが、該隙間ｄ２を覆うように、防水シート８２が設けられている。
【００３０】
また、既設竪枠１３の室内側壁部１３ａと新設竪枠２３の室内側との間には、隙間ｄ３（スペーサー６３が配置されている。）が存在するが、該隙間ｄ３を覆うように、防水シート８３が設けられている。
そして、枠の下コーナー部において、下枠に配置された防水シート８２と、竪枠に配置された防水シート８３を連続させるように、防水シート８６が設けられている。
【００３１】
（第１の実施形態の下枠室内側部分の構成）
以上のように、本実施形態の改修建具は、新設下枠２２の室内側が室内側取付補助材３２１を介して既設下枠１２に支持されているが、既設下枠１２に対して新設下枠２２の室内側レールを高い位置に配置していることから、火災時等に内、外障子が室外側に反るように変形した際に、新設下枠２２が室外側に転んでしまい、内、外障子が外れてしまう危険性があった。
【００３２】
また、新設下枠２２の室内側レールを高い位置に設定することにより、室内側レールに高さを合わせて形成された新設下枠２２の室内側部分を覆う内部カバー７２の高さ寸法も高く設定されることとなり、新設下枠２２及び内部カバー７２の下面に隙間ｄ２が生じることとなった。そのため、内部カバー７２の室内側端部が火災時の熱等により溶融することで、火災の比較的早い段階で建具の室内外が連通してしまう可能性があった。
【００３３】
以下、本発明の一実施形態の改修建具における、火災時の変形による新設下枠２２の転びを防止すると共に、新設下枠２２の室内側部分における室内外の連通を抑制するための構成について、さらに詳細に説明する。
【００３４】
既設下枠１２に取り付けられる新設下枠２２は、図３（ａ）に示すように、室内側見込壁を構成する室内側底壁部２２ａと、室外側見込壁を構成する室外側底壁部２２ｂと、室内側底壁部２２ａの室内側から立ち上がる室内側壁部２２ｃと、室内側壁部２２ｃの上端よりもやや下方位置の室内側面から室内側に延設される室内側上壁部２２ｄと、室内側底壁部２２ａと室外側底壁部２２ｂとを連続する立壁部２２ｅと、室外側底壁部２２ｂの室外側端から下方に向かって延設される前壁部２２ｆと、前壁部２２ｆの下端から室内側に屈曲して延設される浮き上がり防止片２２ｇと、室内側底壁部２２ａの室外側上面に立設される室内下レール２２ｈと、室外側底壁部２２ｂの上面に立設される室外下レール２２ｉと、室内側底壁部２２ａの室外側に延設される気密材保持片２２ｊを有している。
【００３５】
また、新設下枠２２は、図３（ｂ）に示すように、室内側壁部２２ｃの室内側上壁部２２ｄよりも上方部位に内部カバー７２の室外側を係合する被係合部２２ｋが形成されており、室内側上壁部２２ｄの上面には、後述する内部カバー７２の天板部７２ａを支持するリブが長手方向に沿って形成されている。
【００３６】
さらに、新設下枠２２は、図３（ａ），（ｂ）に示すように、室内側壁部２２ｃの室内側面であって被係合部２２ｋよりも下方位置と、室内側壁部２２ｃの室外側面と、立壁部２２ｅの室外側面に加熱膨張材ｆを保持する膨張材ホルダー２２ｍ，２２ｎ，２２ｓが形成されており、各膨張材ホルダー２２ｍ，２２ｎ，２２ｓに加熱により膨張する加熱膨張材ｆが配置されている。
【００３７】
そして、新設下枠２２は、室内側底壁部２２ａの下面の内外２か所に形成された脚部を室内側取付補助材３２１の支持部３２１ａに載置した状態で、ビス等の固定手段ｂにより室内側取付補助材３２１に固定することで、既設下枠１２に取付けられている。なお、このとき室外側底壁部２２ｂを室外側取付補助材３２２に載置するようにしてもよい。
【００３８】
既設下枠１２に取付けられた新設下枠２２の上端、例えば室内下レール２２ｈもしくは室内側壁部２２ｃの上端は、既設下枠１２もしくは躯体開口部の上端よりも所定寸法高く設定されている。
そして、新設下枠２２の室内側壁部２２ｃから室内側に延設される室内側上壁部２２ｄと躯体開口部の上端との間には隙間ｄ２が形成され、室内側上壁部２２ｄの上面から躯体開口部にかけて、間隙を塞ぐように防水シート８２が配置されている。
【００３９】
新設下枠２２の室内側を覆う内部カバー７２は、室内側上壁部２２ｄ及び躯体開口部の上面を覆う天板部７２ａと、天板部７２ａの室内側に連続する室内壁部７２ｂを有する長尺部材からなり、天板部７２ａの室外側端部に下方に突出する係合凸部７２ｃが形成されている。
また、天板部７２ａの室内側下面には、長手方向に沿って複数のリブ状の脚部７２ｄ，７２ｄが形成されている。
【００４０】
そして、内部カバー７２は、室外側に形成された係合凸部７２ｃを新設下枠２２の被係合部２２ｋに係合すると共に、室内側に形成された複数のリブ状の脚部７２ｄ，７２ｄを躯体開口部に載置した状態で、ビス等の固定手段ｂにより、既設下枠１２に固定されている。
新設下枠２２及び躯体開口部に固定された内部カバー７２の天板部７２ａの上面は、新設下枠２２の室内側壁部２２ｃの上端とほぼ同じ高さであり、室内側壁部２２ｃの室内側おいて、室内側上壁部２２ｄの上面から躯体開口部にかけて配置された防水シート８２、すなわち室内側上壁部２２ｄと躯体開口部との隙間ｄ２を覆うように配置されている。
【００４１】
以上の第１の実施形態においては、新設下枠２２の室内側を覆う内部カバー７２が、躯体開口部にビス止め固定されているとともに、新設下枠２２の室内側壁部２２ｃの上方位置に係合しているので、火災時のおける建具の変形による新設下枠２２の倒れを抑制することができ、強度の向上を図ることができる。
【００４２】
また、内部カバー７２により、比較的高い位置にある室内側上壁部２２ｄの上面と躯体開口部の上面を覆うことで、高さ位置の異なる新設下枠２２と躯体開口部との間に生じる隙間ｄ２を塞ぐとともに、新設下枠２２の室内側壁部２２ｃの室内側面であって被係合部２２ｋの下方位置に加熱膨張材ｆを配置しているので、既設下枠１２の形状に関係なく、火災時には加熱膨張材ｆが室内方向に向かって膨張し、新設下枠２２，内部カバー７２と、躯体開口部との間の隙間に充満するので、内部カバー７２が溶融することによる室内外の連通を抑制することができる。
【００４３】
−第２の実施形態―
次に、本発明の第２の実施形態の改修建具について、図４ないし６を参考にして説明する。なお、第２の実施形態の改修建具は、内部カバーが樹脂材料により形成されている点で、第１の実施形態の改修建具と異なっている。以下の説明においては、主に、第１の実施形態と異なる点について説明し、同様の構成については説明を省略する。
【００４４】
（上枠部分の構成）
本実施形態の改修建具においては、図４に示すように、新設上枠２１の室内側から既設上枠１１の室内側を覆うように、防水シート８１が設けられるとともに、防水シート８１の室内側には、断面略Ｌ字状の金属製の上補強部材９１が配置されている。
そして、上取付補助材３１の室内側固定部３１ｂは、室内側壁部１１ａ及び上補強部材９１に対してビス等の固定手段ｂにより固定されている。
【００４５】
樹脂製の内部カバー７１は、防水シート８１及び上補強部材９１を覆うカバー部７１ａと、新設上枠２１の挿入部２１ａに挿入される脚部７１ｂと、カバー部７１ａの上端に連続する固定部７１ｃとを有しており、脚部７１ｂを新設上枠２１の挿入部２１ａに上下動自在に挿入した状態で、固定部７１ｃがビス等の固定手段ｂにより躯体開口部に固定されて配置されている。
【００４６】
（竪枠部分の構成）
本実施形態の改修建具においては、図５に示すように、新設竪枠２３の室内側から既設竪枠１３の室内側を覆うように、防水シート８３が設けられており、防水シート８３の室内側には、断面略Ｌ字状の金属製の曲げ部材からなる竪補強部材９３が配置されている。
そして、竪取付補助材３３の室内側固定部３３ｂは、既設竪枠１３の室内側壁部１３ａ及び竪補強部材９３に対してビス等の固定手段ｂにより固定されている。
【００４７】
樹脂製の内部カバー７３は、防水シート８３及び竪補強部材９３を覆うカバー部７３ａと、新設竪枠２３の挿入部２３ａに内周方向から挿入される脚部７３ｂと、カバー部７３ａの外周側端に連続する固定部７３ｃとを有しており、脚部７３ｂを新設竪枠２３の挿入部２３ａに左右移動自在に挿入した状態で、固定部７３ｃがビス等の固定手段ｂにより躯体開口部に固定されて配置されている。
【００４８】
なお、竪補強部材９３は、例えば図５（ｂ）に示すように、アルミ形材によって形成されてもよい。
【００４９】
（下枠部分の構成）
本実施形態の改修建具においては、図６（ａ）に示すように、新設下枠２２の室内側壁部２２ｃから室内側に延設される室内側上壁部２２ｄと躯体開口部の上端との間には隙間ｄ２が形成され、室内側上壁部２２ｄの上面から躯体開口部にかけて、間隙を塞ぐように防水シート８２が配置されていると共に、室内側上壁部２２ｄの上面から躯体開口部にかけて、金属製の下補強部材９２が配置されている。
なお、新設下枠２２の室内側壁部２２ｃの室内側面に膨張材ホルダー２２ｍが形成され、加熱膨張材ｆが配置されていることは、第１の実施形態と同様である。
【００５０】
下補強部材９２は、図６（ｂ）に示すように、新設下枠２２の室内側上壁部２２ｄと躯体開口部の上端との間の隙間ｄ２に位置する閉塞部９２ａと、閉塞部９２ａの上端から室外側に延設されて新設下枠２２の室内側上壁部２２ｄに載置される上壁部９２ｂと、躯体開口部に固定される固定部９２ｃと、固定部９２ｃの上方部位に形成される内部カバー係合部９２ｄとを有している。
そして、上壁部９２ｂを新設下枠２２の室内側上壁部２２ｄの室内側上面に載置させた状態で固定部９２ｃが躯体開口部にネジ等の固定手段ｂにより固定されている。
【００５１】
新設下枠２２の室内側を覆う内部カバー７２は、室内側上壁部２２ｄ及び躯体開口部の上面を覆う天板部７２ａと、天板部７２ａの室内側に連続する室内壁部７２ｂと、天板部７２ａの室内側下面に形成された係合部７２ｅを有する長尺部材からなり、天板部７２ａの室外側端部に下方に突出する係合凸部７２ｃが形成されている。
【００５２】
そして、内部カバー７２は、室外側に形成された係合凸部７２ｃを新設下枠２２の被係合部２２ｋに係合すると共に、室内側下面に形成された係合部７２ｅを下補強部材９２の内部カバー係合部９２ｄに係合することで、新設下枠２２及び躯体開口部に固定されている。
新設下枠２２及び躯体開口部に固定された内部カバー７２の天板部７２ａの上面は、新設下枠２２の室内側壁部２２ｃの上端とほぼ同じ高さであり、室内側壁部２２ｃの室内側おいて、室内側上壁部２２ｄの上面から躯体開口部との隙間を覆うように配置されている。
【００５３】
以上の第２の実施形態によれば、火災時に、新設下枠２２の室内側壁部２２ｃの室内側面に形成された膨張材ホルダー２２ｍに配置された加熱膨張材ｆが室内方向に向かって膨張し、新設下枠２２と下補強部材９２とによって形成された空間に充満し、新設下枠２２と躯体開口部との間の隙間を塞ぐので、改修建具の下枠部分における室内外の連通を抑制することができる。
【００５４】
なお、以上の実施形態は，請求項に記載された発明を限定するものではなく，例示として取り扱われることは言うまでもない。
例えば、改修される既設枠及び新設建具は、引違い建具に限定されるものではなく、開き建具やすべり出し建具等、建具の種類は何ら限定されるものではない。
【符号の説明】
【００５５】
１２      ：既設下枠
２２      ：新設下枠
２２ｃ    ：室内側壁部
２２ｄ    ：室内側上壁部
２２ｋ    ：被係合部
２２ｍ    ：膨張材ホルダー
７２      ：内部カバー
７２ａ    ：天板部
７２ｃ    ：係合凸部
７２ｄ    ：脚部
ｆ        ：加熱膨張材
【図１】
2020002662.tif 000003
【図２】
2020002662.tif 000004
【図３】
2020002662.tif 000005
【図４】
2020002662.tif 000006
【図５】
2020002662.tif 000007
【図６】
2020002662.tif 000008
【図７】
2020002662.tif 000009
【図８】
2020002662.tif 000010